(57)【要約】【課題】冷却手段による騒音を低減しつつ、劣化を抑制できるプロジェクター、及びプロジェクターの制御方法を提供する。【解決手段】本発明のプロジェクターの一つの態様は、光を射出する放電灯と、放電灯に駆動電力を供給する放電灯駆動装置と、放電灯から射出される光を映像信号に応じて変調する光変調素子と、光変調素子により変調された光を投射する投射光学系と、放電灯と、放電灯駆動装置と、光変調素子と、投射光学系と、を収容する筐体と、筐体の内部を冷却する冷却手段と、筐体に収容された蓄熱体の蓄熱量を検出する蓄熱量検出手段と、検出された蓄熱量に基づいて冷却手段を制御する制御手段と、を備えることを特徴とする。【選択図】図３
2015184416.tif 000002
【特許請求の範囲】
【請求項１】
光を射出する放電灯と、
前記放電灯に駆動電力を供給する放電灯駆動装置と、
前記放電灯から射出される光を映像信号に応じて変調する光変調素子と、
前記光変調素子により変調された光を投射する投射光学系と、
前記放電灯と、前記放電灯駆動装置と、前記光変調素子と、前記投射光学系と、を収容
する筐体と、
前記筐体の内部を冷却する冷却手段と、
前記筐体に収容された蓄熱体の蓄熱量を検出する蓄熱量検出手段と、
検出された前記蓄熱量に基づいて前記冷却手段を制御する制御手段と、
を備えることを特徴とするプロジェクター。
【請求項２】
前記蓄熱量検出手段は、前記放電灯に駆動電力を供給する前に、前記蓄熱体の前記蓄熱
量を検出する、請求項１に記載のプロジェクター。
【請求項３】
前記制御手段は、
前記冷却手段を第１出力で駆動する第１出力駆動と、前記冷却手段を前記第１出力より
も大きい第２出力で駆動する第２出力駆動と、を実行可能であり、
検出された前記蓄熱量が所定値未満である場合は、前記第１出力駆動を実行し、
検出された前記蓄熱量が前記所定値以上である場合は、前記第２出力駆動を実行する、
請求項１または２に記載のプロジェクター。
【請求項４】
前記制御手段は、前記第２出力駆動を実行する場合において、前記放電灯が点灯してか
ら定常点灯状態に移行するまでの立上期間の少なくとも一部において、前記第２出力駆動
を実行する、請求項３に記載のプロジェクター。
【請求項５】
前記制御手段は、前記蓄熱量に基づいて、前記第２出力駆動における前記冷却手段の出
力と前記第２出力駆動の実行時間とのうちの少なくとも一方を設定する、請求項３または
４に記載のプロジェクター。
【請求項６】
前記放電灯駆動装置に電源を供給する電源装置をさらに備え、
前記放電灯駆動装置と前記電源装置とのうちの少なくとも一方は、パワートランジスタ
ーを備え、
前記蓄熱体は、前記パワートランジスターに設けられている、請求項１から５のいずれ
か一項に記載のプロジェクター。
【請求項７】
前記蓄熱体は、ヒートシンクである、請求項１から６のいずれか一項に記載のプロジェ
クター。
【請求項８】
前記冷却手段の冷却対象は、前記放電灯駆動装置と前記光変調素子とのうちの少なくと
も一方を含む、請求項１から７のいずれか一項に記載のプロジェクター。
【請求項９】
光を射出する放電灯と、前記放電灯に駆動電力を供給する放電灯駆動装置と、前記放電
灯から射出される光を映像信号に応じて変調する光変調素子と、前記光変調素子により変
調された光を投射する投射光学系と、前記放電灯と、前記放電灯駆動装置と、前記光変調
素子と、前記投射光学系と、を収容する筐体と、前記筐体の内部を冷却する冷却手段と、
を備えるプロジェクターの制御方法であって、
前記筐体の内部に収容された蓄熱体の蓄熱量を検出し、
検出した前記蓄熱量に基づいて、前記冷却手段を制御することを特徴とするプロジェク
ターの制御方法。
【発明の詳細な説明】
【技術分野】
【０００１】
本発明は、プロジェクター、及びプロジェクターの制御方法に関する。
【背景技術】
【０００２】
筐体内部の温度を検出し、ファンの回転数を制御するプロジェクターが提案されている
（例えば、特許文献１）。特許文献１では、熱による光源の劣化を抑制することを目的と
して、プロジェクターにおける内部の温度と外部の温度との差に応じてファンの回転数を
制御する構成が開示されている。
【先行技術文献】
【特許文献】
【０００３】
【特許文献１】特開２００７−２７９３６５号公報
【発明の概要】
【発明が解決しようとする課題】
【０００４】
しかし、上記のようなプロジェクターの構成では、消灯時において、空気の流れ等によ
って検出部や検出対象の温度が低下し、検出部によって検出できる温度が、プロジェクタ
ーの内部の蓄熱状態を適切に反映できない場合があった。そのため、プロジェクターを点
灯させた直後において、ファンの回転数を適切に制御できない場合、すなわち、プロジェ
クター内部に蓄積されている熱量に対して、十分な冷却を行えない場合があった。これに
より、プロジェクターの冷却が不十分となってプロジェクターが劣化する問題があった。
【０００５】
上記のような問題に対して、プロジェクターを点灯させた直後においては、常にファン
の回転数を増加させ、プロジェクターを十分に冷却する方法が考えられる。しかし、この
場合においては、必要以上にファンの回転数が増加され、ファンによる騒音が増加する問
題があった。
【０００６】
本発明の一つの態様は、上記問題点に鑑みて成されたものであって、冷却手段による騒
音を低減しつつ、劣化を抑制できるプロジェクター、及びプロジェクターの制御方法を提
供することを目的の一つとする。
【課題を解決するための手段】
【０００７】
本発明のプロジェクターの一つの態様は、光を射出する放電灯と、前記放電灯に駆動電
力を供給する放電灯駆動装置と、前記放電灯から射出される光を映像信号に応じて変調す
る光変調素子と、前記光変調素子により変調された光を投射する投射光学系と、前記放電
灯と、前記放電灯駆動装置と、前記光変調素子と、前記投射光学系と、を収容する筐体と
、前記筐体の内部を冷却する冷却手段と、前記筐体に収容された蓄熱体の蓄熱量を検出す
る蓄熱量検出手段と、検出された前記蓄熱量に基づいて前記冷却手段を制御する制御手段
と、を備えることを特徴とする。
【０００８】
本発明のプロジェクターの一つの態様によれば、蓄熱体の蓄熱量を検出し、検出された
蓄熱量に応じて冷却手段が制御される。他の素子に比べて蓄熱体には熱が保存されやすい
ため、蓄熱体の蓄熱量を検出することによって、プロジェクターの内部の蓄熱状態を把握
することが容易である。したがって、本発明のプロジェクターの一つの態様によれば、冷
却手段を適切に制御することが容易なため、冷却手段による騒音を低減しつつ、劣化を抑
制できるプロジェクターが得られる。
【０００９】
前記蓄熱量検出手段は、前記放電灯に駆動電力を供給する前に、前記蓄熱体の前記蓄熱
量を検出する構成としてもよい。
この構成によれば、放電灯が点灯した直後において適切に冷却手段を制御できる。
【００１０】
前記制御手段は、前記冷却手段を第１出力で駆動する第１出力駆動と、前記冷却手段を
前記第１出力よりも大きい第２出力で駆動する第２出力駆動と、を実行可能であり、検出
された前記蓄熱量が所定値未満である場合は、前記第１出力駆動を実行し、検出された前
記蓄熱量が前記所定値以上である場合は、前記第２出力駆動を実行する構成としてもよい
。
この構成によれば、第２出力駆動の実行を適切に制御することが容易である。
【００１１】
前記制御手段は、前記第２出力駆動を実行する場合において、前記放電灯が点灯してか
ら定常点灯状態に移行するまでの立上期間の少なくとも一部において、前記第２出力駆動
を実行する構成としてもよい。
この構成によれば、第２出力駆動が立上期間において実行されるため、冷却手段の騒音
が使用者に与える影響を低減できる。
【００１２】
前記制御手段は、前記蓄熱量に基づいて、前記第２出力駆動における前記冷却手段の出
力と前記第２出力駆動の実行時間とのうちの少なくとも一方を設定する構成としてもよい
。
この構成によれば、プロジェクターの内部を適切に冷却することができる。
【００１３】
前記放電灯駆動装置に電源を供給する電源装置をさらに備え、前記放電灯駆動装置と前
記電源装置とのうちの少なくとも一方は、パワートランジスターを備え、前記蓄熱体は、
前記パワートランジスターに設けられている構成としてもよい。
この構成によれば、プロジェクターの内部の蓄熱状態を適切に把握することが容易であ
る。
【００１４】
前記蓄熱体は、ヒートシンクである構成としてもよい。
この構成によれば、例えば、パワートランジスターのヒートシンクを蓄熱体として利用
できるため、簡便である。
【００１５】
前記冷却手段の冷却対象は、前記放電灯駆動装置と前記光変調素子とのうちの少なくと
も一方を含む構成としてもよい。
この構成によれば、プロジェクターの劣化を抑制できる。
【００１６】
本発明のプロジェクターの制御方法の一つの態様は、光を射出する放電灯と、前記放電
灯に駆動電力を供給する放電灯駆動装置と、前記放電灯から射出される光を映像信号に応
じて変調する光変調素子と、前記光変調素子により変調された光を投射する投射光学系と
、前記放電灯と、前記放電灯駆動装置と、前記光変調素子と、前記投射光学系と、を収容
する筐体と、前記筐体の内部を冷却する冷却手段と、を備えるプロジェクターの制御方法
であって、前記筐体の内部に収容された蓄熱体の蓄熱量を検出し、検出した前記蓄熱量に
基づいて、前記冷却手段を制御することを特徴とする。
【００１７】
本発明のプロジェクターの制御方法の一つの態様によれば、上記と同様にして、冷却手
段による騒音を低減しつつ、劣化を抑制できる。
【図面の簡単な説明】
【００１８】
【図１】本実施形態のプロジェクターを示す概略構成図である。
【図２】本実施形態のプロジェクターの各種構成要素を示すブロック図である。
【図３】本実施形態の駆動電力波形の一例を示す図である。
【図４】本実施形態の制御ユニットによる制御方法を示すフローチャートである。
【発明を実施するための形態】
【００１９】
以下、図面を参照しながら、本発明の実施形態に係るプロジェクター、及びプロジェク
ターの制御方法について説明する。
なお、本発明の範囲は、以下の実施の形態に限定されるものではなく、本発明の技術的
思想の範囲内で任意に変更可能である。また、以下の図面においては、各構成をわかりや
すくするために、実際の構造と各構造における縮尺や数等を異ならせる場合がある。
【００２０】
＜プロジェクターの構成＞
図１は、本実施形態に係るプロジェクター１を示す概略構成図である。図２は、本実施
形態のプロジェクター１の各種構成要素を示すブロック図である。
図１において、プロジェクター１は、内部に設けられた光源から射出された光束を変調
して、画像情報に応じた画像を形成し、当該画像をスクリーン等の被投射面上に拡大投射
するものである。
【００２１】
本実施形態のプロジェクター１は、図１に示すように、外装筐体（筐体）２と、投射光
学装置（投射光学系）３と、画像形成装置４と、冷却ユニット（冷却手段）９１と、電源
ユニット（電源装置）９２と、制御ユニット（制御手段）９３と、を備える。
【００２２】
外装筐体２は、合成樹脂または金属により全体が略直方体状に形成された筐体であり、
投射光学装置（投射光学系）３と、画像形成装置４と、冷却ユニット（冷却手段）９１と
、電源ユニット（電源装置）９２と、制御ユニット（制御手段）９３と、を内部に収納す
る。
【００２３】
投射光学装置３は、画像形成装置４にて形成された画像を被投射面上に結像させるとと
もに、当該画像を拡大投射する。投射光学装置３は、図示を省略するが、筒状の鏡筒内に
複数のレンズが収納された組レンズとして構成されている。
【００２４】
画像形成装置４は、制御ユニット９３による制御の下、画像情報に応じた画像を形成す
る光学装置である。画像形成装置４は、照明装置５と、照明光学装置４１と、色分離光学
装置４２と、リレー光学装置４３と、電気光学装置４４と、光学部品用筐体４５と、を備
える。
【００２５】
照明装置５は、光束を射出する。この照明装置５の構成は、後に詳述する。
照明光学装置４１は、一対のレンズアレイ４１１，４１２と、偏光変換素子４１３と、
重畳レンズ４１４と、を備える。
色分離光学装置４２は、ダイクロイックミラー４２１，４２２と、反射ミラー４２３と
、を備える。
リレー光学装置４３は、入射側レンズ４３１と、リレーレンズ４３３と、反射ミラー４
３２，４３４と、を備える。
【００２６】
電気光学装置４４は、フィールドレンズ４４１と、液晶パネル４４２と、入射側偏光板
４４３と、視野角補償板４４４と、射出側偏光板４４５と、色合成光学装置としてのクロ
スダイクロイックプリズム４４６と、を備える。
液晶パネル４４２は、赤色光用の液晶パネル４４２Ｒと、緑色光用の液晶パネル４４２
Ｇと、青色光用の液晶パネル４４２Ｂと、を含む。入射側偏光板４４３と、視野角補償板
４４４と、射出側偏光板４４５とは、それぞれ液晶パネル４４２Ｒ，Ｇ，Ｂごとに設けら
れている。
【００２７】
光学部品用筐体４５は、照明装置５、照明光学装置４１、色分離光学装置４２、リレー
光学装置４３、及び電気光学装置４４を内部に設定された照明光軸Ａ上の所定位置に収納
配置する。また、光学部品用筐体４５は、投射光学装置３を支持する。
【００２８】
画像形成装置４では、照明光学装置４１により、照明装置５（光源装置５１）から射出
された光束の照明領域内の照度が略均一化され、当該光束は、色分離光学装置４２により
、赤（Ｒ），緑（Ｇ），青（Ｂ）の３つの色光に分離される。これら分離された各色光は
、各液晶パネル４４２Ｒ，Ｇ，Ｂによって画像情報に応じてそれぞれ変調され、色光毎の
画像が形成される。そして、当該色光毎の画像は、クロスダイクロイックプリズム４４６
によって合成され、投射光学装置３により被投射面上に拡大投射される。
【００２９】
照明装置５は、光源装置５１と、点灯装置（放電灯駆動装置）５２と、を備える。
光源装置５１は、光源としての放電灯５１１と、主反射鏡５１２と、副反射鏡５１３と
、平行化レンズ５１４と、これらを内部に収納するハウジング５１５と、を備える。
【００３０】
放電灯５１１は、内部に形成された放電空間内に一対の電極及び放電物質が封入された
略球状を有する発光部５１１１と、当該発光部５１１１の両端から互いに離間する方向に
延出する一対の封止部５１１２，５１１３と、を備える。本実施形態において放電灯５１
１は、例えば、高圧水銀ランプ、ハロゲンランプ、またはメタルハライドランプ等である
。
【００３１】
主反射鏡５１２は、レンズアレイ４１１から離間する側の封止部５１１２に接着剤によ
り固定されている。この主反射鏡５１２の内側には、楕円形状の凹面の反射面が形成され
ており、主反射鏡５１２の第１焦点近傍に配置された発光部５１１１から入射された光を
、当該反射面により反射させて、照明光軸Ａ上の第２焦点に収束させる。
【００３２】
副反射鏡５１３は、発光部５１１１における封止部５１１３側（主反射鏡５１２側とは
反対側）を覆うガラス製の成形品である。この副反射鏡５１３は、発光部５１１１の外形
に沿う形状を有し、当該発光部５１１１と対向する面には、反射面が形成されている。そ
して、副反射鏡５１３は、発光部５１１１から射出された光のうち、主反射鏡５１２側と
は反対側に射出された光を、当該反射面により反射させて、主反射鏡５１２の反射面に入
射させる。これにより、発光部５１１１から光源装置５１の光束射出方向の先端側に直接
射出され、かつ、レンズアレイ４１１に入射しない光の発生を抑えることができる。
平行化レンズ５１４は、主反射鏡５１２にて反射されて収束される光束を照明光軸Ａに
対して平行化する。
【００３３】
点灯装置５２は、放電灯５１１の点灯を制御する。点灯装置５２は、図２に示すように
、制御用ＩＣ（Ｉｎｔｅｇｒａｔｅｄ  Ｃｉｒｃｕｉｔ）６と、降圧部７１と、電圧変換
部７２と、検出部（蓄熱量検出手段）８０と、を備える。
【００３４】
制御用ＩＣ６は、制御ユニット９３の制御下で、降圧部７１及び電圧変換部７２を制御
する。制御用ＩＣ６は、例えば図示しないフォトカプラーを介して、検出部８０、及び後
述する検出部８１から入力された検出情報（蓄熱量）を制御ユニット９３に送信する。
【００３５】
降圧部７１は、ダウンコンバーター回路（例えばダウンチョッパー回路）を含んで構成
されており、制御用ＩＣ６による制御により、電源ユニット９２に接続される直流電源か
ら入力される直流電圧（例えば、略３８０Ｖ）を、放電灯５１１の点灯に適した電圧（例
えば、略５０Ｖ〜１５０Ｖ）に降下させる。
【００３６】
電圧変換部７２は、インバーター回路であり、例えば、複数のＭＯＳＦＥＴ（Ｍｅｔａ
ｌ−Ｏｘｉｄｅ−Ｓｅｍｉｃｏｎｄｕｃｔｏｒ  Ｆｉｅｌｄ  Ｅｆｆｅｃｔ  Ｔｒａｎｓ
ｉｓｔｏｒ）で構成されたインバーターブリッジ回路と、これらのＭＯＳＦＥＴを駆動す
るＦＥＴドライバーと、を備える。電圧変換部７２は、入力された直流電圧を、制御用Ｉ
Ｃ６から入力された制御信号の周波数に応じた交流電圧に変換し、放電灯５１１に印加す
る。
【００３７】
検出部８０は、点灯装置５２に設けられたパワートランジスター６０の温度を検出する
。パワートランジスター６０にはヒートシンク（蓄熱体）６２が設けられている。検出部
８０は、パワートランジスター６０の温度を検出することによって、ヒートシンク６２に
蓄積された蓄熱量を検出できる。検出部８０は、例えば、制御用ＩＣ６と、ワイヤーで接
続され、検出部８０で検出された蓄熱量は、ワイヤーを介して制御用ＩＣ６に入力される
。
【００３８】
パワートランジスター６０は、例えば、電圧変換部７２に含まれる複数のＭＯＳＦＥＴ
や、降圧部７１に含まれるトランジスターである。
【００３９】
ヒートシンク６２は、パワートランジスター６０の排熱のために設けられている。ヒー
トシンク６２は熱容量が大きく、プロジェクター１が消灯された後においても、点灯時に
パワートランジスター６０に蓄積された熱量が、ある程度の期間保存される。すなわち、
ヒートシンク６２は、蓄熱体として機能する。
【００４０】
ここで、本明細書において「蓄熱体」とは、プロジェクター１に含まれる素子のうちで
、比較的熱容量が大きく、空気の流れ等の外乱によっても、蓄積された熱量が失われにく
い素子を意味する。
【００４１】
冷却ユニット９１は、プロジェクター１の内部、すなわち、外装筐体２の内部を冷却す
る。冷却ユニット９１は、本実施形態においては、複数の冷却用のファンを含んで構成さ
れる。冷却ユニット９１の構成は、プロジェクター１の内部を冷却できる範囲内において
特に限定されない。冷却ユニット９１の冷却対象は、例えば、放電灯５１１、点灯装置５
２及び液晶パネル４４２等を含む。
【００４２】
電源ユニット９２は、外部電源から入力された商用交流電流を変換した直流電流をプロ
ジェクター１の内部の各構成部材に供給する。電源ユニット９２は、図２に示すように、
ＰＦＣ（Ｐｏｗｅｒ  Ｆａｃｔｏｒ  Ｃｏｒｒｅｃｔｉｏｎ）回路７３と、検出部（蓄熱
量検出手段）８１と、を備える。
ＰＦＣ回路７３は、電源ユニット９２において発生する高調波電流を所定の制限値以下
に抑え、力率を改善する回路である。
【００４３】
検出部８１は、電源ユニット９２内に設けられたパワートランジスター６１の温度を検
出する。パワートランジスター６１にはヒートシンク（蓄熱体）６３が設けられている。
検出部８１は、検出部８０と同様に、パワートランジスター６１の温度を検出することに
よって、ヒートシンク６３に蓄積されている蓄熱量を検出できる。検出部８１は、検出部
８０と同様に、例えば、ワイヤーによって制御用ＩＣ６と接続され、検出した蓄熱量を制
御用ＩＣ６に入力する。
【００４４】
パワートランジスター６１は、例えば、ＰＦＣ回路に含まれるトランジスターである。
ヒートシンク６３は、上述したヒートシンク６２と同様である。
【００４５】
制御ユニット９３は、プロジェクター１全体を制御する。制御ユニット９３は、制御用
ＩＣ６から、検出部８０，８１によって検出されたヒートシンク６２，６３の蓄熱量を、
例えば前述したフォトカプラーを介して受信する。制御ユニット９３は、受信した蓄熱量
に基づいて、冷却ユニット９１を制御する。
【００４６】
以下、制御ユニット９３によるプロジェクター１の制御方法について詳細に説明する。
図３は、放電灯５１１に入力される駆動電力波形の一例を示す図である。
制御ユニット９３は、図３に示す駆動電力波形に基づいて点灯装置５２を制御する。
【００４７】
図３に示すように、プロジェクター１に電源の投入を開始すると、放電灯５１１の電極
間に高電圧が印加され、絶縁破壊が生じる。これにより、放電灯５１１が点灯し、駆動電
力が上昇し始める。駆動電力は、徐々に上昇し、所定の目標電力に到達する。このとき、
放電灯５１１の内部のプラズマ密度は小さく、温度は低く、駆動電力は不安定な状態であ
る。その後、放電灯５１１の内部のプラズマ密度が大きく、温度が高くなるにつれて、駆
動電力は安定な状態となる。放電灯５１１に電源が投入されてから絶縁破壊が生じるまで
の期間、すなわち、放電灯５１１が点灯し、放電灯５１１に駆動電力が供給され始めるま
での期間を未放電期間Ｔ０と定義し、放電灯５１１の点灯開始から駆動電力が安定するま
での期間を立上期間と定義する。立上期間が過ぎた後は継続的に放電灯５１１を点灯させ
る期間に入る。この期間を定常点灯期間と定義する。
【００４８】
本実施形態の駆動電力波形においては、立上期間は、リフレッシュ電力Ｗｒに向けて駆
動電力Ｗが徐々に増加する第１立上期間Ｔ１と、駆動電力Ｗがリフレッシュ電力Ｗｒの値
に一定に維持される第２立上期間Ｔ２と、を有している。
定常点灯期間は、放電灯５１１に定常点灯電力Ｗｓが供給される定常点灯モードが実行
される期間である。定常点灯電力Ｗｓは、第２立上期間Ｔ２におけるリフレッシュ電力Ｗ
ｒよりも小さい。
【００４９】
一例としては、立上期間を９０秒とし、リフレッシュ電力Ｗｒは定常点灯電力Ｗｓの１
３０％以上で駆動し、その後、定常点灯電力Ｗｓで継続的に駆動する。一般に放電灯を点
灯して数十秒の期間は、放電灯から発する光束の変動が大きく、これを利用するプロジェ
クターより出力される光束の変動も大きいため、出力光束の変動を伴う放電灯の電力変化
をこの期間で行うことにより、利用者の違和感を低減できる。
【００５０】
図４は、本実施形態における制御ユニット９３によるプロジェクター１の制御方法につ
いて示すフローチャートである。図４においては、プロジェクター１に電源が投入されて
から映像が表示されるまでについて示している。
【００５１】
制御ユニット９３は、図４に示すように、プロジェクター１に電源の投入が開始される
（ステップＳ１）と、検出部８０，８１にパワートランジスター６０，６１の温度を検出
させる（ステップＳ２）。パワートランジスター６０，６１には、蓄熱体であるヒートシ
ンク６２，６３が設けられているため、ヒートシンク６２，６３に蓄積されている熱がパ
ワートランジスター６０，６１に伝達される。そのため、パワートランジスター６０，６
１の温度を検出することによって、ヒートシンク６２，６３に蓄積された蓄熱量を検出で
きる。
【００５２】
本実施形態においては、検出部８０，８１による蓄熱量の検出は、放電灯５１１の点灯
が開始される前、すなわち、未放電期間Ｔ０において行われる。
【００５３】
放電灯５１１の電極間に絶縁破壊が生じ、放電灯５１１が点灯する（ステップＳ３，ラ
ンプ点灯開始）と、冷却ユニット９１によってプロジェクター１の内部の冷却、すなわち
、本実施形態においてはファンの回転、が開始され、映像が表示される（ステップＳ６）
。ここで、立上期間におけるファンの回転数は、検出したパワートランジスター６０，６
１の温度、すなわち、ヒートシンク６２，６３の蓄熱量に基づいて設定される。
【００５４】
本実施形態においては、制御ユニット９３は、冷却ユニット９１を定常出力（第１出力
）で駆動する定常出力モード（第１出力駆動）と、定常出力よりも大きい高出力（第２出
力）で駆動する、すなわち、ファンを定常出力モードよりも高速回転させる高出力モード
（第２出力駆動）と、を実行可能である。定常出力は、定常点灯期間における冷却ユニッ
ト９１の出力である。
制御ユニット９３は、パワートランジスター６０，６１の温度測定値が、閾値（所定値
）未満であるか否か判定し（ステップＳ４）、いずれかの出力モードで冷却ユニット９１
を駆動する。
【００５５】
ここで、パワートランジスター６０の温度測定値の閾値とパワートランジスター６１の
温度測定値の閾値とは、それぞれ個別に設定されている。制御ユニット９３は、パワート
ランジスター６０の温度測定値とパワートランジスター６１の温度測定値との両方がそれ
ぞれの閾値未満であれば、定常出力モードを実行する（ステップＳ５）。
【００５６】
一方、制御ユニット９３は、パワートランジスター６０の温度測定値とパワートランジ
スター６１の温度測定値とのうち、少なくともいずれか一方がそれぞれの閾値以上であれ
ば、高出力モードを実行する（ステップＳ７）。
なお、パワートランジスター６０，６１にそれぞれ個別に設定される閾値は、同じ値で
あってもよいし、異なる値であってもよい。
【００５７】
本実施形態においては、高出力モードは、立上期間において実行される。高出力モード
が実行される期間は、立上期間の全体であってもよいし、立上期間の一部であってもよい
。
特に、放電灯５１１がリフレッシュ電力Ｗｒで駆動される第２立上期間Ｔ２においては
、放電灯５１１等からの発熱が増大するため、高出力モードは、第２立上期間Ｔ２におい
て実行されることが好ましい。
【００５８】
高出力モードが実行される期間の長さ（実行時間）、及び高出力モードにおける冷却ユ
ニット９１の出力は、予め所定の値に設定されていてもよいし、検出部８０，８１によっ
て検出されたパワートランジスター６０，６１の温度に応じて、放電灯５１１を点灯する
ごとに設定されてもよい。高出力モードの実行時間及び高出力モードにおける冷却ユニッ
ト９１の出力が予め所定の値に設定されている場合には、制御ユニット９３による冷却ユ
ニット９１の制御が容易である。また、高出力モードの実行時間及び高出力モードにおけ
る冷却ユニット９１の出力がパワートランジスター６０，６１の温度に応じて設定される
場合には、冷却ユニット９１による騒音の増加を最小限に抑制することが可能である。
【００５９】
高出力モードの実行時間が経過すると、制御ユニット９３は、冷却ユニット９１を定常
出力で駆動する定常出力モードを実行する。例えば、高出力モードが実行される期間が、
立上期間の全体、あるいは第２立上期間Ｔ２の全体である場合には、立上期間から定常点
灯期間に移行した際に、制御ユニット９３は、高出力モードを終了し、定常出力モードを
実行する。
【００６０】
本実施形態によれば、検出部８０，８１によってヒートシンク６２，６３の蓄熱量を検
出し、その蓄熱量に基づいて冷却ユニット９１を制御するため、冷却ユニット９１（ファ
ン）による騒音を低減しつつ、劣化を抑制できるプロジェクターが得られる。以下、詳細
に説明する。
【００６１】
プロジェクターの内部が高温となると、放電灯等の劣化が促進され、プロジェクターの
寿命が低下する場合がある。そのため、プロジェクターの内部の温度に応じて、冷却ユニ
ットの出力を調整することによって、プロジェクターの内部の温度を適切な温度に維持す
ることが好ましい。
【００６２】
ところで、プロジェクターが消灯された後においては、プロジェクターの内部の熱は徐
々に放熱されるが、空気の流れ等の外乱によって、検出部や、検出部の検出対象の温度が
他の部分に比べて著しく低下する場合がある。このような場合、プロジェクターに電源を
投入した直後に検出部によって温度を検出しても、プロジェクターの内部に蓄積された熱
量を適切に把握できない場合があった。すなわち、プロジェクターの内部の他の部分が高
温となっているにも関わらず、検出部によって検出される温度の値が低い場合があった。
したがって、プロジェクターの内部の蓄熱量を適切に把握することができず、プロジェク
ターの内部の冷却が不十分となり、プロジェクターが劣化する場合があった。
【００６３】
一方で、プロジェクターの点灯時において常に冷却ユニットの出力が大きくなるように
すれば、検出部によって検出される温度によらず、プロジェクター内部を冷却することが
できる。しかし、その場合には、プロジェクターを点灯する度に、冷却ユニットのファン
が高速回転され、騒音が増加するという問題があった。
【００６４】
この問題に対して、本実施形態によれば、蓄熱体であるヒートシンク６２，６３の蓄熱
量を検出し、その蓄熱量に基づいて冷却ユニット９１を制御する。ヒートシンク６２，６
３は、熱容量がプロジェクター１の内部の他の素子に対して、比較的熱容量が大きく、空
気の流れ等の外乱によっても、著しく温度が低下されることが抑制される。そのため、プ
ロジェクター１を点灯する際に、ヒートシンク６２，６３の蓄熱量、すなわち、パワート
ランジスター６０，６１の温度を検出することで、プロジェクター１の内部の蓄熱量を適
切に把握することが容易である。
【００６５】
具体的には、本実施形態によれば、検出部８０，８１によって検出されるパワートラン
ジスター６０，６１の温度が閾値未満であれば、プロジェクター１の内部の蓄熱量が十分
低減されたものとして、冷却ユニット９１の駆動を定常出力モードとし、パワートランジ
スター６０，６１の温度が閾値以上であれば、プロジェクター１の内部を定常よりも冷却
する必要があるものとして、冷却ユニット９１の駆動を高出力モードとする。これにより
、本実施形態によれば、高出力モードの実行を適切に制御できる結果、冷却ユニット９１
（ファン）による騒音を低減しつつ、劣化を抑制できるプロジェクターが得られる。
【００６６】
また、プロジェクターが通常の手順で消灯される場合には、例えば、消灯される際のプ
ロジェクターの内部の熱に関する情報を、プロジェクターの内部に設けられた記憶部に記
憶させ、再度点灯する際に、記憶部に記憶された情報に基づいて、冷却ユニットの出力を
制御する方法も考えられる。
しかし、この方法では、消灯時におけるプロジェクターの周囲の環境の温度や、空気の
流れ等の外乱によって、プロジェクターの内部の熱が放熱される速度が変化した場合に対
応することが困難である。
【００６７】
また、プロジェクターの消灯が通常の手順によらない場合、例えば、プロジェクターに
電源を供給する外部電源が直接遮断されたような場合においては、消灯される際にプロジ
ェクターの内部の熱に関する情報を記憶することができない。そのため、上述した方法に
よっては、冷却ユニットを適切に制御することができない。
【００６８】
これらの問題に対して、本実施形態によれば、プロジェクター１を点灯する際に、検出
部８０，８１によってパワートランジスター６０，６１の温度を検出し、その検出された
温度に基づいて、冷却ユニット９１を制御する。そのため、消灯時におけるプロジェクタ
ー１の周囲の環境や、プロジェクター１の消灯の仕方によらず、冷却ユニット９１を適切
に制御することが可能である。
【００６９】
なお、プロジェクターに電源を供給する外部電源が直接遮断される場合としては、例え
ば、天吊り型のプロジェクターのように直接プロジェクターの電源ボタンを押すことが困
難な場合に、壁等に設置される電源スイッチを切ることで、プロジェクターを消灯する場
合が考えられる。すなわち、本実施形態によれば、天吊り型のプロジェクターに適用し、
外部電源を直接遮断するプロジェクターの消灯方法を採用した場合であっても、冷却ユニ
ット９１による騒音を低減しつつ、プロジェクター１の劣化を抑制できる。
【００７０】
また、本実施形態によれば、パワートランジスター６０，６１に設けられているヒート
シンク６２，６３を蓄熱体として用いている。通常、パワートランジスター６０，６１に
は、排熱のためにヒートシンク６２，６３が設けられている。そのため、本実施形態によ
れば、蓄熱体として新たな素子を追加する必要がなく、簡便である。
【００７１】
また、本実施形態によれば、電源ユニット９２のパワートランジスター６１の温度を検
出する検出部８１が設けられている。電源ユニット９２のパワートランジスター６１の発
熱と、プロジェクター１の内部における主たる発熱体である放電灯５１１の発熱とは、ほ
ぼ連動する。したがって、本実施形態によれば、プロジェクター１の内部の蓄熱状態をよ
り適切に把握することができる。
【００７２】
また、本実施形態によれば、放電灯５１１に駆動電力Ｗが供給される前の未放電期間Ｔ
０においてパワートランジスター６０，６１の温度を検出するため、放電灯５１１が点灯
した直後から冷却ユニット９１を適切に制御することが可能である。
【００７３】
また、本実施形態によれば、高出力モードが実行されるのは、立上期間の少なくとも一
部である。そのため、高出力モードの実行によって騒音が増加する期間が、プロジェクタ
ー１が点灯された直後の一定期間のみとできる。したがって、高出力モードを実行する場
合であっても、増加する冷却ユニット９１（ファン）の騒音が使用者に与える影響を低減
できる。
【００７４】
また、本実施形態によれば、検出部８０，８１によってパワートランジスター６０，６
１の温度を検出する。パワートランジスター６０，６１は、それ自体が発熱する素子であ
り、熱によって破損しやすい素子であるため、特に温度を監視する必要性が高い。本実施
形態によれば、パワートランジスター６０，６１の温度を検出する検出部８０，８１が設
けられているため、パワートランジスター６０，６１が熱によって破損することを抑制で
きる。
【００７５】
また、本実施形態によれば、冷却ユニット９１の冷却対象は、点灯装置５２及び液晶パ
ネル４４２を含むため、よりプロジェクター１の劣化を抑制できる。
【００７６】
また、本実施形態によれば、立上期間において、定常点灯期間における定常点灯電力Ｗ
ｓよりも大きいリフレッシュ電力Ｗｒで駆動される第２立上期間Ｔ２が設けられている。
そのため、定常点灯期間においてプロジェクター１を低電力で駆動するような場合におい
ても、第２立上期間Ｔ２において放電灯５１１の電極先端の突起が溶融されることで、突
起の成長が促され、電極間の距離を維持できる。
【００７７】
また、この第２立上期間Ｔ２においては、放電灯５１１にリフレッシュ電力Ｗｒが供給
されるため、プロジェクター１の内部における発熱量が増加する。そのため、高出力モー
ドを実行する必要がある場合には、第２立上期間Ｔ２において、高出力モードを実行する
と効果的である。
【００７８】
なお、本実施形態においては、以下の構成を採用してもよい。
【００７９】
上記説明においては、蓄熱体としてヒートシンク６２，６３を用いる構成としたが、こ
れに限られない。本実施形態においては、プロジェクター１の内部に設けられている熱容
量が大きい他の素子を蓄熱体としてもよいし、蓄熱体として熱容量が大きい素子をプロジ
ェクター１の内部に新たに設けてもよい。蓄熱体を新たに設ける場合においては、その蓄
熱体の温度（蓄熱量）を検出する検出部を新たに設けてもよいし、パワートランジスター
６０，６１の温度を検出する検出部８０，８１によって、新たに設けた発熱体の温度を検
出できる構成としてもよい。
【００８０】
また、本実施形態においては、検出部８０，８１のうちいずれか一方のみが設けられる
構成としてもよいし、検出部８０，８１に加えて他の素子の温度を検出する他の検出部が
設けられる構成としてもよい。
【００８１】
また、本実施形態においては、高出力モードは立上期間以外の期間で実行されてもよい
。
【００８２】
また、本実施形態においては、放電灯５１１が点灯した後に検出部８０，８１によって
パワートランジスター６０，６１の温度を検出する構成としてもよい。
【００８３】
また、上記説明においては、立上期間において、定常出力モードと高出力モードとのう
ちいずれか一方が実行される構成としたが、これに限られない。本実施形態においては、
例えば、高出力モードが実行されない場合に、立上期間において駆動電力Ｗに応じて、冷
却ユニット９１の出力が調整されてもよい。
【００８４】
また、本実施形態においては、第２立上期間Ｔ２が設けられなくてもよい。この場合に
おいては、駆動電力Ｗは、第１立上期間Ｔ１において、定常点灯期間における定常点灯電
力Ｗｓまで上昇し、定常点灯電力Ｗｓに維持された状態で、定常点灯期間に移行する。
【００８５】
上記実施形態では、プロジェクター１は、光変調装置として３つの液晶パネル４４２を
備える構成としたが、本発明はこれに限られない。すなわち、２つ以下、あるいは、４つ
以上の液晶パネルを光変調装置として備えるプロジェクターにも、本発明を適用可能であ
る。
【００８６】
また、上記実施形態では、光入射面と光出射面とが異なる透過型液晶パネルを有する光
変調装置を採用した。しかしながら、本発明はこれに限られず、光入射面と光出射面とが
同一となる反射型液晶パネルを有する反射型光変調装置を採用してもよい。また、入射光
束を変調して画像情報に応じた画像を形成可能な光変調装置であれば、マイクロミラーを
用いたデバイス、例えば、ＤＭＤ（Ｄｉｇｉｔａｌ  Ｍｉｃｒｏｍｉｒｒｏｒ  Ｄｅｖｉ
ｃｅ）等を利用したものなど、液晶以外の光変調装置を用いてもよい。
【符号の説明】
【００８７】
１…プロジェクター、２…外装筐体（筐体）、３…投射光学装置（投射光学系）、５２
…点灯装置（放電灯駆動装置）、６０，６１…パワートランジスター、６２，６３…ヒー
トシンク（蓄熱体）、８０，８１…検出部（蓄熱量検出手段）、９１…冷却ユニット（冷
却手段）、９２…電源ユニット（電源装置）、９３…制御ユニット（制御手段）、５１１
…放電灯、Ｗ…駆動電力
【図１】
2015184416.tif 000003
【図２】
2015184416.tif 000004
【図３】
2015184416.tif 000005
【図４】
2015184416.tif 000006